(57)【特許請求の範囲】
【請求項１】
顧客の操作により取引を行う自動取引装置と前記顧客が前記自動取引装置へ移動する際に通過する場所に設置することが可能な第１の通過ゲート装置および第２の通過ゲート装置とが互いに通信可能に接続された顧客媒体取り忘れ警報システムにおいて、
前記自動取引装置は、
取引の状態が実行中であることを検出する取引状態検出手段と、
前記取引状態検出手段によって取引が実行中であることを検出した場合、実行中であることを示す実行中情報を前記第１の通過ゲート装置へ送信する実行中情報送信手段と、
を備え、
前記第１の通過ゲート装置は、
前記自動取引装置から送信された前記実行中情報を受信する実行中情報受信手段と、
前記実行中情報受信手段によって前記実行中情報を受信した後に、顧客の通過を検出することが可能な第１の顧客通過検出手段と、
前記第１の顧客通過検出手段によって顧客の通過を検出した場合、通過したことを示す第１の通過情報を前記自動取引装置へ送信する第１の通過情報送信手段と、
を備え、
前記自動取引装置は、
前記第１の通過ゲート装置から送信された前記第１の通過情報を受信する第１の通過情報受信手段と、
前記第１の通過情報受信手段によって前記第１の通過情報を受信した場合、前記第１の通過情報を前記第２の通過ゲート装置へ送信する第２の通過情報送信手段と、
を備え、
前記第２の通過ゲート装置は、
前記自動取引装置から送信された前記第１の通過情報を受信する第２の通過情報受信手段と、
前記第２の通過情報受信手段によって前記第１の通過情報を受信した場合、顧客媒体の取り忘れを警告する取り忘れ警告情報を報知する報知手段と、
を備えることを特徴とする顧客媒体取り忘れ警報システム。
【請求項２】
前記第２の通過ゲート装置は、
前記報知手段によって前記取り忘れ警告情報が報知されている間に、顧客の通過を検出することが可能な第２の顧客通過検出手段と、
前記第２の顧客通過検出手段によって顧客の通過を検出した場合、通過したことを示す第２の通過情報を前記自動取引装置へ送信する第２の通過情報送信手段と、
を備え、
前記自動取引装置は、
前記第２の通過ゲート装置から送信された前記第２の通過情報を受信する第３の通過情報受信手段と、
前記第３の通過情報受信手段によって前記第２の通過情報を受信した場合、抜き取られていない顧客媒体を内部に取り込む顧客媒体取込手段と、
前記第３の通過情報受信手段によって前記第２の通過情報を受信した場合、前記第２の通過ゲート装置により報知されている前記取り忘れ警告情報の報知を停止させるための報知停止情報を前記第２の通過ゲート装置へ送信する第３の通過情報送信手段と、
を備え、
前記第２の通過ゲート装置は、
前記自動取引装置から送信された前記報知停止情報を受信する報知停止情報受信手段と、
前記報知停止情報受信手段によって前記報知停止情報を受信した場合、前記報知手段による前記取り忘れ警告情報の報知を停止する報知停止手段と、
を備えることを特徴とする請求項１に記載の顧客媒体取り忘れ警報システム。
【請求項３】
顧客の操作により取引を行う自動取引装置と前記顧客が前記自動取引装置へ移動する際に通過する場所に設置することが可能な第１の通過ゲート装置および第２の通過ゲート装置とを備える顧客媒体取り忘れ警報システムにおいて実行される顧客媒体取り忘れ警報方法であって、
前記自動取引装置のコンピュータが、
取引の状態が実行中であることを検出した場合、実行中であることを示す実行中情報を前記第１の通過ゲート装置へ送信し、
前記第１の通過ゲート装置のコンピュータが、
前記自動取引装置から送信された前記実行中情報を受信し、
前記実行中情報を受信した後に、顧客の通過をセンサーで検出した場合、通過したことを示す第１の通過情報を前記自動取引装置へ送信し、
前記自動取引装置のコンピュータが、
前記第１の通過ゲート装置から送信された前記第１の通過情報を受信した場合、前記第１の通過情報を前記第２の通過ゲート装置へ送信し、
前記第２の通過ゲート装置のコンピュータが、
前記自動取引装置から送信された前記第１の通過情報を受信した場合、顧客媒体の取り忘れを警告する取り忘れ警告情報を報知する、
ことを特徴とする顧客媒体取り忘れ警報方法。
【請求項４】
前記第２の通過ゲート装置のコンピュータが、
前記取り忘れ警告情報が報知されている間に、顧客の通過をセンサーで検出した場合、通過したことを示す第２の通過情報を前記自動取引装置へ送信し、
前記自動取引装置のコンピュータが、
前記第２の通過ゲート装置から送信された前記第２の通過情報を受信した場合、抜き取られていない顧客媒体を内部に取り込み、かつ、前記第２の通過ゲート装置により報知されている前記取り忘れ警告情報の報知を停止させるための報知停止情報を前記第２の通過ゲート装置へ送信し、
前記第２の通過ゲート装置のコンピュータが、
前記自動取引装置から送信された前記報知停止情報を受信した場合、前記取り忘れ警告情報の報知を停止する、
ことを特徴とする請求項３に記載の顧客媒体取り忘れ警報方法。
【発明の詳細な説明】
【技術分野】
【０００１】
本発明は、金融機関の店舗等に設置される自動取引装置（ＡＴＭ：Automated Teller Machine）に関するもので、特に、自動取引装置による処理終了後に、操作者がキャッシュカード、現金、通帳等の顧客媒体を取り忘れた場合、その取り忘れを操作者に報知する顧客媒体取り忘れ警報システムおよび顧客媒体取り忘れ警報方法に関する。
【背景技術】
【０００２】
従来、銀行や郵便局等の金融機関の自動取引装置による取引において、取引後に排出されたキャッシュカード、明細票、現金、通帳等の顧客媒体は、例えば一定時間の経過後に取り忘れられたものと判断し、顧客媒体を機器内部に取り込んで収納していた。
【０００３】
このような場合、金融機関の職員（行員等）が自動取引装置の扉を開け、収納された顧客媒体を顧客に返却することで対応していた。
また、顧客が自動取引装置から離れたことを検出する機能と、顧客媒体が取り残されていることを検出する機能と、顧客に忘れ物がある旨を知らせる機能とを備えることにより、顧客媒体の放出後、取り残された顧客媒体を検出し、一定時間抜き取りがない場合、顧客に向けた警告音を鳴動させ、取り忘れ防止を警告している技術が開示されている（例えば、特許文献１参照。）。
【０００４】
また、顧客誘導用のポールに発光部を有する表示装置を自動取引装置利用後の退出通路上に設置し、自動取引装置内に取引媒体が残留している間、すなわち取引の間中、取引の顧客に対して取引媒体の取り忘れの注意を促す旨を表示装置により警告する技術が開示されている（例えば、特許文献２参照。）。
【先行技術文献】
【特許文献】
【０００５】
【特許文献１】特開２００２−１１７４２９号公報
【特許文献２】特開２０００−３３９５１７号公報
【発明の概要】
【発明が解決しようとする課題】
【０００６】
しかしながら、顧客媒体の取り忘れが発生した場合、自動取引装置は、収納された顧客媒体を顧客へ返却するまでの一定時間、自動取引を休止しなければならず、次の顧客の自動取引の開始が遅れてしまう、という問題点があった。
【０００７】
また、自動取引装置が顧客媒体の取り忘れを判断するまでの一定時間が長いと、その判断を下す前に顧客が去ってしまう恐れがある、という問題点があった。逆に、判断するまでの一定時間が短いと、取り忘れではない顧客に対してまで警告音を発生してしまう恐れがある、という問題点があった。
【０００８】
また、特に現金やキャッシュカードの取り忘れの場合、次の顧客に持ち去られてしまう恐れがある、という問題点があった。
また、取引の間中、警告表示されているのは、顧客の気分を害する恐れがあるとともに、取引の度に警告表示されることによりその警告表示に慣れてしまい、本当に取り忘れした場合であっても顧客がそれに気付かない恐れがある、という問題点があった。
【０００９】
本発明は、上述のような実状に鑑みたものであり、自動取引装置を用いた取引において、排出されたキャッシュカード、明細票、通帳、引き出した現金等の顧客媒体を取り忘れてその場を離れてしまう顧客に対して、顧客媒体の取り忘れを迅速かつ確実に報知することが可能な顧客媒体取り忘れ警報システムおよび顧客媒体取り忘れ警報方法を提供することを目的とする。
【課題を解決するための手段】
【００１０】
本発明は、上記課題を解決するため、下記のような構成を採用した。
すなわち、本発明の一態様によれば、本発明の顧客媒体取り忘れ警報システムは、顧客の操作により取引を行う自動取引装置と前記顧客が前記自動取引装置へ移動する際に通過する場所に設置することが可能な第１の通過ゲート装置および第２の通過ゲート装置とが互いに通信可能に接続された顧客媒体取り忘れ警報システムである。
【００１１】
そして、前記自動取引装置は、取引の状態が実行中であることを検出する取引状態検出手段と、前記取引状態検出手段によって取引が実行中であることを検出した場合、実行中であることを示す実行中情報を前記第１の通過ゲート装置へ送信する実行中情報送信手段とを備える。前記第１の通過ゲート装置は、前記自動取引装置から送信された前記実行中情報を受信する実行中情報受信手段と、前記実行中情報受信手段によって前記実行中情報を受信した後に、顧客の通過を検出することが可能な第１の顧客通過検出手段と、前記第１の顧客通過検出手段によって顧客の通過を検出した場合、通過したことを示す第１の通過情報を前記自動取引装置へ送信する第１の通過情報送信手段とを備える。前記自動取引装置は、さらに、前記第１の通過ゲート装置から送信された前記第１の通過情報を受信する第１の通過情報受信手段と、前記第１の通過情報受信手段によって前記第１の通過情報を受信した場合、前記第１の通過情報を前記第２の通過ゲート装置へ送信する第２の通過情報送信手段とを備える。前記第２の通過ゲート装置は、前記自動取引装置から送信された前記第１の通過情報を受信する第２の通過情報受信手段と、前記第２の通過情報受信手段によって前記第１の通過情報を受信した場合、顧客媒体の取り忘れを警告する取り忘れ警告情報を報知する報知手段とを備える。
【００１２】
また、本発明の顧客媒体取り忘れ警報システムは、前記第２の通過ゲート装置が、さらに、前記報知手段によって前記取り忘れ警告情報が報知されている間に、顧客の通過を検出することが可能な第２の顧客通過検出手段と、前記第２の顧客通過検出手段によって顧客の通過を検出した場合、通過したことを示す第２の通過情報を前記自動取引装置へ送信する第２の通過情報送信手段とを備え、前記自動取引装置が、さらに、前記第２の通過ゲート装置から送信された前記第２の通過情報を受信する第３の通過情報受信手段と、前記第３の通過情報受信手段によって前記第２の通過情報を受信した場合、抜き取られていない顧客媒体を内部に取り込む顧客媒体取込手段と、前記第３の通過情報受信手段によって前記第２の通過情報を受信した場合、前記第２の通過ゲート装置により報知されている前記取り忘れ警告情報の報知を停止させるための報知停止情報を前記第２の通過ゲート装置へ送信する第３の通過情報送信手段とを備え、前記第２の通過ゲート装置が、さらに、前記自動取引装置から送信された前記報知停止情報を受信する報知停止情報受信手段と、前記報知停止情報受信手段によって前記報知停止情報を受信した場合、前記報知手段による前記取り忘れ警告情報の報知を停止する報知停止手段とを備えることを特徴とする。
【００１３】
また、本発明の一態様によれば、本発明の顧客媒体取り忘れ警報方法は、顧客の操作により自動取引を行う自動取引装置と前記顧客が前記自動取引装置へ移動する際に通過する場所に設置することが可能な第１の通過ゲート装置および第２の通過ゲート装置とを備える顧客媒体取り忘れ警報システムにおいて実行される顧客媒体取り忘れ警報方法である。
【００１４】
そして、前記自動取引装置のコンピュータが、取引の状態が実行中であることを検出した場合、実行中であることを示す実行中情報を前記第１の通過ゲート装置へ送信し、前記第１の通過ゲート装置のコンピュータが、前記自動取引装置から送信された前記実行中情報を受信し、前記実行中情報を受信した後に、顧客の通過をセンサーで検出した場合、通過したことを示す第１の通過情報を前記自動取引装置へ送信し、前記自動取引装置のコンピュータが、前記第１の通過ゲート装置から送信された前記第１の通過情報を受信した場合、前記第１の通過情報を前記第２の通過ゲート装置へ送信し、前記第２の通過ゲート装置のコンピュータが、前記自動取引装置から送信された前記第１の通過情報を受信した場合、顧客媒体の取り忘れを警告する取り忘れ警告情報を報知することを特徴とする。
【００１５】
また、本発明の顧客媒体取り忘れ警報方法は、前記第２の通過ゲート装置のコンピュータが、前記取り忘れ警告情報が報知されている間に、顧客の通過をセンサーで検出した場合、通過したことを示す第２の通過情報を前記自動取引装置へ送信し、前記自動取引装置のコンピュータが、前記第２の通過ゲート装置から送信された前記第２の通過情報を受信した場合、抜き取られていない顧客媒体を内部に取り込み、かつ、前記第２の通過ゲート装置により報知されている前記取り忘れ警告情報の報知を停止させるための報知停止情報を前記第２の通過ゲート装置へ送信し、前記第２の通過ゲート装置のコンピュータが、前記自動取引装置から送信された前記報知停止情報を受信した場合、前記取り忘れ警告情報の報知を停止することを特徴とする。
【発明の効果】
【００１６】
本発明は、自動取引装置で保有している媒体情報と、２組の通過ゲート装置より通知される顧客の通過情報に基づき、即時に顧客媒体の取り忘れ状態を検知し、顧客への通知および取り忘れられた顧客媒体の確実な確保が可能となる、という効果を奏する。
【図面の簡単な説明】
【００１７】
【図１】本発明を適用した顧客媒体取り忘れ警報システム１の外観を示す図である。
【図２】取り忘れが発生しなかった場合の顧客媒体取り忘れ警報システム１の処理の流れを示す図である。
【図３】取り忘れが発生した場合の顧客媒体取り忘れ警報システム１の処理の流れを示す図である。
【図４】本発明を適用した顧客媒体取り忘れ警報システム１の全体的な処理の流れを示す図である。
【図５】自動取引装置２から第１の通過ゲート装置３および第２の通過ゲート装置４へ送信される電文の構成を示す図である。
【図６】第１の通過ゲート装置３または第２の通過ゲート装置４から自動取引装置２へ送信される電文の構成を示す図である。
【図７】自動取引装置２から第１の通過ゲート装置３へ送信される電文を示す図である。
【図８】顧客が第１の通過ゲート装置３を通過した状態を示す図である。
【図９】第１の通過ゲート装置３から自動取引装置２へ送信される電文を示す図である。
【図１０】自動取引装置２から第２の通過ゲート装置４へ送信される電文を示す図である。
【図１１】顧客が第２の通過ゲート装置４を通過した状態を示す図である。
【図１２】第２の通過ゲート装置４から自動取引装置２へ送信される電文を示す図である。
【図１３】自動取引装置２から第２の通過ゲート装置４へ送信される電文を示す図である。
【図１４】自動取引装置２において実行される処理の流れを示すフローチャートである。
【図１５】第１の通過ゲート装置３において実行される処理の流れを示すフローチャートである。
【図１６】第２の通過ゲート装置４において実行される処理の流れを示すフローチャートである。
【発明を実施するための形態】
【００１８】
以下、本発明の実施の形態について、図面を参照しながら詳細に説明する。
図１は、本発明を適用した顧客媒体取り忘れ警報システム１の外観を示す図である。
図１において、顧客媒体取り忘れ警報システム１は、自動取引装置２と第１の通過ゲート装置３および第２の通過ゲート装置４とが、無線通信システムにより互いに通信可能に接続されて構成されている。
【００１９】
自動取引装置２は、銀行や郵便局等の金融機関、コンビニエンスストアの店舗等に設置され、顧客の操作による現金の預け入れ、引き出し、振り込み等の取引を自動的に行う、所謂ＡＴＭである。また、自動取引装置２は、無線装置２１を備え、不図示の無線装置を内部に備えた第１の通過ゲート装置３および第２の通過ゲート装置４と無線通信を行う。
【００２０】
第１の通過ゲート装置３および第２の通過ゲート装置４は、それぞれ２本で１組のポールにより構成され、顧客が前記自動取引装置２へ移動する際に通過する場所に設置することが可能である。そして、各ポールの先端部分に備えられた顧客通過検知センサー３１、４１によってポール間を通過した顧客を検知する。
【００２１】
なお、第１の通過ゲート装置３および第２の通過ゲート装置４は、それぞれの内部にパーソナルコンピュータ（ＰＣ：Personal Computer）を備え、不図示のＣＰＵ（Central Processing Unit）、ＲＡＭ（Random Access Memory）などの書き換え可能なメモリ、ＲＯＭ（Read Only Memory）などの不揮発性メモリを備えている。そして、後述する顧客媒体取り忘れ警報処理は、ＣＰＵがＲＡＭを用いながら所定のプログラムを実行することにより実現される。また、顧客媒体取り忘れ警報処理の機能を実現するためのプログラムは、例えばコンピュータ読み取り可能な記憶媒体に格納され、第１の通過ゲート装置３および第２の通過ゲート装置４に提供されてもよい。
【００２２】
図２は、取り忘れが発生しなかった場合の顧客媒体取り忘れ警報システム１の処理の流れを示す図である。
図２において、顧客が自動取引装置２に対して、各種取引のうち「現金引き出し」の処理を指示すると、自動取引装置２による現金引き出し処理が開始される。
【００２３】
まず、ステップＳ２０１において、顧客が自動取引装置２のカード挿入口から顧客媒体の１つであるキャッシュカードを挿入する。すると、自動取引装置２が備える顧客情報通知装置２２（図４参照）は、キャッシュカードが挿入されていることを示す信号を、無線装置２１を用いて第１の通過ゲート装置３へ送信する。この信号を受信した第１の通過ゲート装置３は、顧客が２つの顧客通過検知センサー３１間を通過した場合にそのことを検知することが可能な状態に顧客通過検知センサー３１を設定する（センサーオン）。
【００２４】
次に、顧客は、ステップＳ２０２において、暗証番号を入力し、ステップＳ２０３において、引き出したい金額を入力する。すると、自動取引装置２は、ステップＳ２０４において、ホストコンピュータと交信し、その間、顧客は、ステップＳ２０５において、明細票を発行するか否かを選択指示する。
【００２５】
そして、ステップＳ２０６において、自動取引装置２は、ステップＳ２０１で挿入したキャッシュカード、ステップＳ２０５で発行を指示したことにより発行された明細票を放出する。顧客は、放出されたキャッシュカードおよび明細票を自動取引装置２から抜き取る。さらに、ステップＳ２０７において、自動取引装置２は、ステップＳ２０３で入力したことにより搬出された現金を放出する。顧客は、放出された現金を自動取引装置２から抜き取る。
【００２６】
すると、自動取引装置２が備える顧客情報通知装置２２（図４参照）は、顧客媒体であるキャッシュカード、明細票および現金が抜き取られたことをセンサーで検知し、抜き取られていることを示す信号を、無線装置２１を用いて第１の通過ゲート装置３へ送信する。この信号を受信した第１の通過ゲート装置３は、顧客が２つの顧客通過検知センサー３１間を通過した場合であってもそのことを検知しない状態に顧客通過検知センサー３１を設定する。
【００２７】
図３は、取り忘れが発生した場合の顧客媒体取り忘れ警報システム１の処理の流れを示す図である。
図２と同様、図３において、顧客が自動取引装置２に対して、各種取引のうち「現金引き出し」の処理を指示すると、自動取引装置２による現金引き出し処理が開始される。ステップＳ２０１乃至Ｓ２０６は、図２と同様であるので、説明を省略する。
【００２８】
ステップＳ２０７で放出された現金を自動取引装置２から抜き取り忘れたまま、顧客が第１の通過ゲート装置３の２つのポールが備える顧客通過検知センサー３１間を通過すると、顧客の通過を検知したことを示す信号が第１の通過ゲート装置３から自動取引装置２へ送信される。この際、第１の通過ゲート装置３は、前記顧客または他の顧客がその後に２つの顧客通過検知センサー３１間を通過してもそのことを検知しないように顧客通過検知センサー３１を設定する（センサーオフ）。
【００２９】
そして、自動取引装置２が第１の通過ゲート装置３から顧客の通過を検知したことを示す信号を受信すると、自動取引装置２が備える顧客情報通知装置２２（図４参照）は、顧客媒体の取り忘れを認識させるブザーを鳴動させるための信号を、無線装置２１を用いて第２の通過ゲート装置４へ送信する。
【００３０】
すると、第２の通過ゲート装置４は、２つの顧客通過検知センサー４１間を顧客が通過した場合にそのことを検知することが可能な状態に顧客通過検知センサー４１を設定するとともに、顧客が顧客媒体を取り忘れたことを顧客に認識させるためのブザーを鳴動させる。このブザーは、第２の通過ゲート装置４が備えている。
【００３１】
次に、このブザーの鳴動に気付かないまま、顧客が第２の通過ゲート装置４の２つのポールが備える顧客通過検知センサー４１間を通過すると、顧客の通過を検知したことを示す信号が第２の通過ゲート装置４から自動取引装置２へ送信される。
【００３２】
そして、自動取引装置２が第２の通過ゲート装置４から顧客の通過を検知したことを示す信号を受信すると、自動取引装置２は、ステップＳ３０８において、抜き取り忘れられた現金を自動取引装置２の内部に取り込み、ステップＳ３０９において、処理を休止する。さらに、自動取引装置２が備える顧客情報通知装置２２（図４参照）は、上述の鳴動を停止させるための信号を、無線装置２１を用いて第２の通過ゲート装置４へ送信する。
【００３３】
すると、第２の通過ゲート装置４は、上述の鳴動を停止した上で、前記顧客または他の顧客がその後に２つの顧客通過検知センサー４１間を通過してもそのことを検知しないように顧客通過検知センサー４１を設定する（センサーオフ）。
【００３４】
これにより、自動取引装置２から顧客が立ち去る前に現金等の顧客媒体の取り忘れを顧客に対して報知することができるとともに、取り忘れてしまった場合であっても、他人に現金等の顧客媒体を持ち去られる危険性が大幅に減少する。
【００３５】
次に、本発明の実施の形態をさらに詳細に説明する。
図４は、本発明を適用した顧客媒体取り忘れ警報システム１の全体的な処理の流れを示す図である。図５は、自動取引装置２から第１の通過ゲート装置３および第２の通過ゲート装置４へ送信される電文の構成を示す図である。図６は、第１の通過ゲート装置３または第２の通過ゲート装置４から自動取引装置２へ送信される電文の構成を示す図である。図７は、自動取引装置２から第１の通過ゲート装置３へ送信される電文を示す図である。図８は、顧客が第１の通過ゲート装置３を通過した状態を示す図である。図９は、第１の通過ゲート装置３から自動取引装置２へ送信される電文を示す図である。図１０は、自動取引装置２から第２の通過ゲート装置４へ送信される電文を示す図である。図１１は、顧客が第２の通過ゲート装置４を通過した状態を示す図である。図１２は、第２の通過ゲート装置４から自動取引装置２へ送信される電文を示す図である。図１３は、自動取引装置２から第２の通過ゲート装置４へ送信される電文を示す図である。
【００３６】
図４に示すように、自動取引装置２は、第１の通過ゲート装置３および第２の通過ゲート装置４との間で通信する各種信号を、例えば図５および図６に示したような２バイト長で構成される電文で通信する。
【００３７】
図５に示した電文は、自動取引装置２から第１の通過ゲート装置３または第２の通過ゲート装置４へ送信される電文であり、項目名「送信種別」「要求種別１」「要求種別２」の３つの項目から構成されている。項目名「送信種別」は、自動取引装置２から第１の通過ゲート装置３への電文であるのか、第２の通過ゲート装置４への電文であるのかを示し、キャラクタが‘０’であれば第１の通過ゲート装置３への電文であり、‘１’であれば第２の通過ゲート装置４への電文である。項目名「要求種別１」は、キャラクタが‘０’であれば、自動取引装置２にキャッシュカード等の顧客媒体が無いことを示し、‘１’であれば、顧客媒体が未だあることを示し、‘２’であれば、顧客通過検知センサー３１または顧客通過検知センサー４１に対するセンサーオンの指示を示し、‘３’であれば、顧客通過検知センサー３１または顧客通過検知センサー４１に対するセンサーオフの指示を示す。また、項目名「要求種別２」は、キャラクタが‘０’であれば、第２の通過ゲート装置４が備えるブザーの鳴動の停止の指示を示し、‘１’であれば、ブザー鳴動の指示を示す。
【００３８】
図６に示した電文は、第１の通過ゲート装置３または第２の通過ゲート装置４から自動取引装置２へ送信される電文であり、項目名「送信種別」「要求種別１」「要求種別２」の３つの項目から構成されている。項目名「送信種別」は、第１の通過ゲート装置３から自動取引装置２への電文であるのか、第２の通過ゲート装置４からの電文であるのかを示し、キャラクタが‘２’であれば第１の通過ゲート装置３からの電文であり、‘３’であれば第２の通過ゲート装置４からの電文である。項目名「要求種別１」は、キャラクタが‘０’であれば、顧客通過検知センサー３１または顧客通過検知センサー４１の検知がないことを示し、‘１’であれば、顧客通過検知センサー３１または顧客通過検知センサー４１の検知があることを示す。また、項目名「要求種別２」は、キャラクタが‘０’であれば、取り忘れられた顧客媒体の自動取引装置２への取り込み指示がないことを示し、‘１’であれば、取り込み指示であることを示す。
【００３９】
図４に示すように、顧客の操作によって現金の預け入れ、引き出し、振り込み等の自動取引が開始されると、自動取引装置２は、キャッシュカードが自動取引装置２へ挿入されたことを検知して、自動取引の状態が実行中であること、すなわちキャッシュカードが自動取引装置２から排出されていない状態であることを検出する。
【００４０】
そして、自動取引装置２、より具体的には、自動取引装置２が備える顧客情報通知装置２２は、自動取引の実行中であることを示す情報として、図７に示したような「媒体あり情報」の電文４０１を第１の通過ゲート装置３へ送信する。ここで、図７の「媒体あり情報」の電文４０１は、「送信種別」が‘０’であるので、この電文が自動取引装置２から第１の通過ゲート装置３への電文であることを示している。また、「要求種別１」が‘１’であるので、顧客媒体が自動取引装置２内にあることを示し、「要求種別２」については、第１の通過ゲート装置３はブザーを備えていないため無視される。
【００４１】
この「媒体あり情報」の電文４０１を受信した第１の通過ゲート装置３は、「媒体あり情報」の電文４０１の「要求種別１」が‘１’であるので、顧客が２つの顧客通過検知センサー３１間を通過した場合にそのことを検知することが可能な状態に顧客通過検知センサー３１を設定する。
【００４２】
次に、図８に示したように、取引を終了したと思った顧客が、現金等の顧客媒体を抜き取らずに、すなわち顧客媒体を取り忘れて第１の通過ゲート装置３の間を追加すると、顧客の通過を検知したことを示す信号として、図９に示したような「センサー検知情報」の電文４０２が第１の通過ゲート装置３から自動取引装置２へ送信される。ここで、図９の「センサー検知情報」の電文４０２は、「送信種別」が‘２’であるので、この電文が第１の通過ゲート装置３から自動取引装置２への電文であることを示している。また、「要求種別１」が‘１’であるので、顧客通過検知センサー３１の検知があったことを示し、「要求種別２」が‘０’であるので、取り忘れられた顧客媒体の自動取引装置２への取り込み指示がこの時点では無いことを示す。
【００４３】
この「センサー検知情報」の電文４０２を受信した自動取引装置２は、顧客媒体の取り忘れを認識させるブザーを鳴動させるための信号として、図１０に示したような「ブザー鳴動／センサー検知開始情報」の電文４０３を、無線装置２１を用いて第２の通過ゲート装置４へ送信する。ここで、図１０の「ブザー鳴動／センサー検知開始情報」の電文４０３は、「送信種別」が‘１’であるので、この電文が自動取引装置２から第２の通過ゲート装置４への電文であることを示している。また、「要求種別１」が‘２’であるので、顧客通過検知センサー４１に対するセンサーオンの指示を示し、「要求種別２」が‘１’であるので、第２の通過ゲート装置４が備えるブザーの鳴動の指示を示す。
【００４４】
この「ブザー鳴動／センサー検知開始情報」の電文４０３を受信した第２の通過ゲート装置４は、２つの顧客通過検知センサー４１間を顧客が通過した場合にそのことを検知することが可能な状態に顧客通過検知センサー４１を設定するとともに、顧客が顧客媒体を取り忘れたことを顧客に認識させるためのブザーを鳴動させる。
【００４５】
次に、図１１に示したように、鳴動しているブザーに気付かない顧客が、顧客媒体を取り忘れたまま第２の通過ゲート装置４の間を追加すると、顧客の通過を検知したことを示す信号として、図１２に示したような「取り忘れ媒体取り込み通知情報」の電文４０４が第２の通過ゲート装置４から自動取引装置２へ送信される。ここで、図１２の「取り忘れ媒体取り込み通知情報」の電文４０４は、「送信種別」が‘３’であるので、この電文が第２の通過ゲート装置４から自動取引装置２への電文であることを示している。また、「要求種別１」が‘１’であるので、顧客通過検知センサー４１の検知があったことを示し、「要求種別２」が‘１’であるので、取り忘れられた顧客媒体の自動取引装置２への取り込みの指示であることを示す。
【００４６】
この「取り忘れ媒体取り込み通知情報」の電文４０４を受信した自動取引装置２は、抜き取り忘れられた現金を自動取引装置２の内部に取り込んだ上で取引処理を停止し、鳴動を停止させるための信号として、図１３に示したような「ブザー停止／センサー検知終了情報」の電文４０５を、無線装置２１を用いて第２の通過ゲート装置４へ送信する。ここで、図１３の「ブザー停止／センサー検知終了情報」の電文４０５は、「送信種別」が‘１’であるので、この電文が自動取引装置２から第２の通過ゲート装置４への電文であることを示している。また、「要求種別１」が‘３’であるので、顧客通過検知センサー４１に対するセンサーオフの指示を示し、「要求種別２」が‘０’であるので、第２の通過ゲート装置４が備えるブザーの鳴動の停止の指示を示す。
【００４７】
この「ブザー停止／センサー検知終了情報」の電文４０５を受信した第２の通過ゲート装置４は、ブザーの鳴動を停止した上で、前記顧客または他の顧客がその後に２つの顧客通過検知センサー４１間を通過してもそのことを検知しないように顧客通過検知センサー４１を設定する。
【００４８】
次に、自動取引装置２、第１の通過ゲート装置３および第２の通過ゲート装置４のそれぞれにおいて実行される処理の流れを、フローチャートを用いて説明する。
図１４は、自動取引装置２において実行される処理の流れを示すフローチャートである。
【００４９】
まず、ステップＳ１４０１において、挿入されたキャッシュカード等の顧客媒体を検出すると、ステップＳ１４０２において、電文４０１の「媒体あり情報」を第１の通過ゲート装置３へ送信する。
【００５０】
次に、ステップＳ１４０３において、暗証番号の入力および取引金額の入力等の取引操作、取引金額の確認等を含む自動取引処理を実行すると、ステップＳ１４０４において、キャッシュカード、現金等の顧客媒体を放出する。
【００５１】
そして、ステップＳ１４０５において、顧客媒体が抜き取られたか否かを判断する。
顧客媒体が抜き取られていた場合（ステップＳ１４０５：ＹＥＳ）は、ステップＳ１４０６において、第１の通過ゲート装置３に対して「媒体なし情報」の電文（送信種別：０，要求種別１：０，要求種別２：０）を送信する。
【００５２】
他方、顧客媒体が抜き取られていない場合（ステップＳ１４０５：ＮＯ）は、ステップＳ１４０７において、第１の通過ゲート装置３から電文４０２の「センサー検知情報」を受信したか否かを判断する。
【００５３】
受信していない場合（ステップＳ１４０７：ＮＯ）は、ステップＳ１４０５に戻り、受信した場合（ステップＳ１４０７：ＹＥＳ）は、ステップＳ１４０８において、電文４０３の「ブザー鳴動／センサー検知開始情報」を第２の通過ゲート装置４へ送信する。
【００５４】
次に、第２の通過ゲート装置４のブザーが鳴動したことにより、顧客が顧客媒体の取り忘れに気付き取りに戻ることが想定されるので、ステップＳ１４０９において、顧客媒体が抜き取られたか否かを判断する。
【００５５】
顧客媒体が抜き取られていた場合（ステップＳ１４０９：ＹＥＳ）は、ステップＳ１４１０において、第２の通過ゲート装置４に対して電文４０５の「ブザー停止／センサー検知終了情報」を送信する。
【００５６】
他方、顧客媒体が抜き取られていない場合（ステップＳ１４０９：ＮＯ）は、ステップＳ１４１１において、第２の通過ゲート装置４から電文４０４のような「取り忘れ媒体取り込み通知情報」を受信したか否かを判断する。
【００５７】
「取り忘れ媒体取り込み通知情報」を受信した場合（ステップＳ１４１１：ＹＥＳ）は、ステップＳ１４１０において、第２の通過ゲート装置４に対して電文４０５の「ブザー停止／センサー検知終了情報」を送信する。
【００５８】
図１５は、第１の通過ゲート装置３において実行される処理の流れを示すフローチャートである。
まず、ステップＳ１５０１において、自動取引装置２から電文４０１の「媒体あり情報」を受信したか否かを判断する。
【００５９】
「媒体あり情報」を受信した場合（ステップＳ１５０１：ＹＥＳ）は、ステップＳ１５０２において、顧客が２つの顧客通過検知センサー３１間を通過した場合にそのことを検知することが可能な状態に顧客通過検知センサー３１を設定する。他方、「媒体あり情報」を受信していない場合（ステップＳ１５０１：ＮＯ）は、受信待ちとなる。
【００６０】
次に、ステップＳ１５０３において、顧客が顧客通過検知センサー３１間を通過したことを検知したか否かを判断する。
検知した場合（ステップＳ１５０３：ＹＥＳ）は、ステップＳ１５０４において、電文４０２の「センサー検知情報」を自動取引装置２へ送信する。そして、ステップＳ１５０５において、ステップＳ１５０２で設定した「顧客が２つの顧客通過検知センサー３１間を通過した場合にそのことを検知することが可能な状態」を解除する。
【００６１】
他方、ステップＳ１５０３で顧客の通過を検知しなかった場合（ステップＳ１５０３：ＮＯ）は、ステップＳ１５０６において、「媒体なし情報」の電文（送信種別：０，要求種別１：０，要求種別２：０）を受信したか否かを判断する。
【００６２】
受信した場合（ステップＳ１５０６：ＹＥＳ）は、ステップＳ１５０５において、ステップＳ１５０２で設定した状態を解除する。他方、受信していない場合（ステップＳ１５０６：ＮＯ）は、受信待ちとなる。
【００６３】
図１６は、第２の通過ゲート装置４において実行される処理の流れを示すフローチャートである。
まず、ステップＳ１６０１において、自動取引装置２から電文４０３の「ブザー鳴動／センサー検知開始情報」を受信したか否かを判断する。
【００６４】
「ブザー鳴動／センサー検知開始情報」を受信した場合（ステップＳ１６０１：ＹＥＳ）は、ステップＳ１６０２において、２つの顧客通過検知センサー４１間を顧客が通過した場合にそのことを検知することが可能な状態に顧客通過検知センサー４１を設定するとともに、顧客媒体を取り忘れたことを顧客に認識させるためのブザーを鳴動させる。他方、「ブザー鳴動／センサー検知開始情報」を受信していない場合（ステップＳ１６０１：ＮＯ）は、受信待ちとなる。
【００６５】
次に、ステップＳ１６０３において、顧客が顧客通過検知センサー４１間を通過したことを検知したか否かを判断する。
検知した場合（ステップＳ１６０３：ＹＥＳ）は、ステップＳ１６０４において、電文４０４の「取り忘れ媒体取り込み通知情報」を自動取引装置２へ送信する。他方、検知しなかった場合（ステップＳ１６０３：ＮＯ）は、検知待ちとなる。
【００６６】
次に、ステップＳ１６０５において、自動取引装置２から電文４０５の「ブザー停止／センサー検知終了情報」を受信したか否かを判断する。
「ブザー停止／センサー検知終了情報」を受信した場合（ステップＳ１６０５：ＹＥＳ）は、ステップＳ１６０６において、ブザーの鳴動を停止した上で、前記顧客または他の顧客がその後に２つの顧客通過検知センサー４１間を通過してもそのことを検知しないように顧客通過検知センサー４１を設定する。他方、「ブザー停止／センサー検知終了情報」を受信していない場合（ステップＳ１６０５：ＮＯ）は、受信待ちとなる。
【００６７】
以上、本発明の実施の形態を、図面を参照しながら説明してきたが、上述してきた本発明の実施の形態は、自動取引装置２、第１の通過ゲート装置３または第２の通過ゲート装置４の一機能としてハードウェアまたはＤＳＰ（Digital Signal Processor）ボードやＣＰＵボードでのファームウェアもしくはソフトウェアにより実現することができる。
【００６８】
また、本発明が適用される自動取引装置２、第１の通過ゲート装置３または第２の通過ゲート装置４は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００６９】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムを記録したＲＯＭやＲＡＭのメモリ、外部記録装置、可搬記録媒体を、自動取引装置２、第１の通過ゲート装置３または第２の通過ゲート装置４に供給し、その自動取引装置２、第１の通過ゲート装置３または第２の通過ゲート装置４のコンピュータがプログラムを読み出し実行することによっても、達成されることは言うまでもない。
【００７０】
この場合、可搬記録媒体等から読み出されたプログラム自体が本発明の新規な機能を実現することになり、そのプログラムを記録した可搬記録媒体等は本発明を構成することになる。
【００７１】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００７２】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部または全部を行ない、その処理によっても前述した実施の形態の機能が実現される。
【００７３】
さらに、可搬型記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施の形態の機能が実現され得る。
【００７４】
すなわち、本発明は、以上に述べた実施の形態に限定されるものではなく、本発明の要旨を逸脱しない範囲内で種々の構成または形状を取ることができる。
【符号の説明】
【００７５】
１      顧客媒体取り忘れ警報システム
２      自動取引装置
３      第１の通過ゲート装置
４      第２の通過ゲート装置
２１    無線装置
２２    顧客情報通知装置
３１、４１  顧客通過検知センサー
４０１、４０２、４０３、４０４、４０５  電文
【図２】
0005451486.tif 000002
【図３】
0005451486.tif 000003
【図５】
0005451486.tif 000004
【図６】
0005451486.tif 000005
【図７】
0005451486.tif 000006
【図９】
0005451486.tif 000007
【図１０】
0005451486.tif 000008
【図１２】
0005451486.tif 000009
【図１３】
0005451486.tif 000010
【図１４】
0005451486.tif 000011
【図１５】
0005451486.tif 000012
【図１６】
0005451486.tif 000013
【図１】
0005451486.tif 000014
【図４】
0005451486.tif 000015
【図８】
0005451486.tif 000016
【図１１】
0005451486.tif 000017